(57)【要約】【課題】携帯用の小型ミラーを、暗い場所においても観察対象を照明することができるものとする。【解決手段】正面に小型のミラー６を貼付したケース１００内にＬＥＤ９を備えるスライドカバー３を配置し、必要時これをスライド操作して導光板４を露出するとともにＬＥＤ９を点灯させ、不要時はスライド操作により格納消灯する。電源を供給する電池８はケース１００に対しスライドして出し入れできるひきだし型の電池ホルダー５に保持され、この電池ホルダー５の電池を載置する底板は保持する電池の一方の電極に接するマイナス電池バネ１１で構成する。ＬＥＤ９を点灯、消灯するスイッチは、スライドカバー３の移動によってスイッチバネ１２が押圧されて点灯し、逆方向の移動による押圧解除によって消灯するが、スライドカバー３の一定量を超える変位に伴い移動する構造のスイッチ押え７を設け、この部材を介してスイッチバネ１２を押圧及び押圧解除する構造としてスライド操作範囲及び発光部材の発光面積を大きなものとした。【選択図】　　図１
2004039608.tif 000002
【特許請求の範囲】
【請求項１】
小型の携帯ミラーに、このミラー面に映し出す観察対象を照明する手段を備えたことを特徴とする照明付携帯ミラー。
【請求項２】
照明手段は、発光部を備えるスライド部材に配置されて携帯ミラーのケースに収容され、必要時前記スライド部材をスライド操作することにより発光部を露出させ、不要時スライド操作により前記発光部を格納するようにしたことを特徴とする請求項１に記載の照明付携帯ミラー。
【請求項３】
照明手段は、発光部を備えるスライド部材に配置されて携帯ミラーのケースに収容され、必要時前記スライド部材をスライド操作することにより発光部を露出及び点灯させ、不要時スライド操作により前記発光部を格納及び消灯するようにしたことを特徴とする請求項１に記載の照明付携帯ミラー。
【請求項４】
照明手段はＬＥＤを発光部に用いたものであることを特徴とする請求項１から３に記載の照明付携帯ミラー。
【請求項５】
照明手段は電池により電源を供給され、前記電池はケースに対しスライドして出し入れできるひきだし型の電池ホルダーに保持され、前記電池ホルダーの電池を載置する底板は保持する電池の一方の電極に接する接点板で構成したことを特徴とする請求項１から４に記載の照明付携帯ミラー。
【請求項６】
照明手段を点灯、消灯するスイッチは、スライド操作によるスライド部材の移動によってその可動接点片が押圧されて点灯し、スライド部材の前記とは逆方向の移動による押圧解除によって消灯するものであって、前記スライド部材の一定量を超える変位に伴い移動する構造の中間部材を設け、この部材を介して前記スイッチの可動接点片を押圧及び押圧解除する構造としてスライド操作範囲及び発光部材の発光面積を大きなものとしたことを特徴とする請求項３から５に記載の照明付携帯ミラー。
【発明の詳細な説明】
【０００１】
【発明の属する技術分野】
本発明は、携帯に適した、ごく小型のミラーに関する。
【０００２】
【従来の技術】
従来から例えば女性がハンドバッグ中に常時携帯するような小型のミラーは多く利用され、各種のものが市場に存在する。
【０００３】
【発明が解決しようとする課題】
このような携帯用のミラーにおいては、どのような環境の場所においても観察対象が観察できることが望ましい。しかしながら、従来のこの種の小型ミラーはそれ自身が観察対象を照明する照明手段を持たないため、暗い場所では、例えば女性の化粧用として利用することができないようなものであった。本発明は、このような携帯用の小型ミラーを、暗い場所においても観察対象を照明することができるものとすることを目的とする。
【０００４】
【課題を解決するための手段】
この課題を解決するために本発明は、小型の携帯ミラーに、このミラー面に映し出す観察対象を照明する手段を備えるように構成したものである。これにより、暗い場所でも鏡面に観察対象を映し出すことができる携帯ミラーが得られる。
【０００５】
また、この課題を解決するために本発明は、照明手段は、携帯ミラーのケースに収容され、必要時スライド操作により発光部を露出させ、不要時前記発光部を格納するようにした。これにより、照明不要時はコンパクトな携帯ミラーとすることができ、照明利用時は発光面の大きい照明手段をもつものとすることができる。
【０００６】
また、この課題を解決するために本発明は、照明手段は、携帯ミラーのケースに収容され、必要時スライド操作により発光部を露出及び点灯させ、不要時前記発光部を格納及び消灯するようにした。これにより、電源の切り忘れがなく、不慮の電池消耗を防ぐことができる。
【０００７】
また、この課題を解決するために本発明は、照明手段はＬＥＤによることとした。これにより、消費電力が少なく、しかも明るい照明手段とすることができる。
【０００８】
また、この課題を解決するために本発明は、照明手段は電池により電源を供給され、前記電池はスライドして出し入れできるひきだし型の電池ホルダーに保持され、前記電池ホルダーの電池を載置する底板は保持する電池の電極に接する接点板（電池バネ）で構成した。これにより、電極接点板（電池バネ）をスイッチの一部として利用することができるので、スイッチ構造を簡単なものとすることができる。
【０００９】
また、この課題を解決するために本発明は、照明手段を点灯、消灯するスイッチは、スライド操作によるスライド部材の移動によってその可動接点片が押圧されて点灯し、スライド部材の前記とは逆方向の移動による押圧解除によって消灯するものであって、前記スライド部材の一定量を超える変位に伴い移動する構造の中間部材を設け、この部材を介して前記スイッチの可動接点片を押圧及び押圧解除する構造とした。これにより、スライド操作範囲及び発光部材の発光面積を大きなものすることができる。
【００１０】
【発明の実施の形態】
本発明の請求項１に記載の発明は、小型の携帯ミラーに、このミラー面に映し出す観察対象を照明する手段を備えるものとしたものであり、暗い場所でも鏡面に観察対象を映し出すという作用を有する。
【００１１】
請求項２に記載の発明は、請求項１において、照明手段は、発光部を備えるスライド部材に配置されて携帯ミラーのケースに収容され、必要時前記スライド部材をスライド操作することにより発光部を露出させ、不要時スライド操作により前記発光部を格納するようにしたものであり、照明不要時はコンパクトな携帯ミラーとすることができ、しかも発光面の大きい照明手段とすることができるという作用を有する。
【００１２】
請求項３に記載の発明は、請求項１において、照明手段は、発光部を備えるスライド部材に配置されて携帯ミラーのケースに収容され、必要時前記スライド部材をスライド操作することにより発光部を露出及び点灯させ、不要時スライド操作により前記発光部を格納及び消灯するようにしたものであり、これにより、電源の切り忘れがなく、不慮の電池消耗を防ぐことができる作用を得られる。
【００１３】
請求項４に記載の発明は、上記各請求項において、照明手段はＬＥＤを発光部に用いるようにしたものであって、これにより、消費電力が少なく、しかも明るい照明手段とする作用が得られる。
【００１４】
請求項５に記載の発明は、照明手段は電池により電源を供給され、前記電池はケースに対しスライドして出し入れできるひきだし型の電池ホルダーに保持され、前記電池ホルダーの電池を載置する底板は保持する電池の一方の電極に接する接点板で構成したものであって、これにより、電極接点板をスイッチの一部として利用することができるので、スイッチ構造を簡単なものとする作用が得られる。
【００１５】
請求項６に記載の発明は、照明手段を点灯、消灯するスイッチは、スライド操作によるスライド部材の移動によってその可動接点片が押圧されて点灯し、スライド部材の前記とは逆方向の移動による押圧解除によって消灯するものであって、前記スライド部材の一定量を超える変位に伴い移動する構造の中間部材を設け、この部材を介して前記スイッチの可動接点片を押圧及び押圧解除する構造としてスライド操作範囲及び発光部材の発光面積を大きなものとしたものであり、これにより、コンパクトな全体寸法にもかかわらず、スライドカバーの移動量を大きくとることができ、従って対象を照明する導光板がケースから露出する面積を大きなものとして照明効率を高める作用が得られる。
【００１６】
（実施の形態１，２，３，４，５）
図１は本発明の組立ずみの携帯ミラーの一部を分解した正面図であり、照明手段の部分を引き出した状態を示している。同図において、１は樹脂で形成したフラットな形状で、端縁には浅い縁部を設けた上ケースであって、長方形のミラー６が正面に取り付けられる。上ケース１は説明のために本図では後述の下ケースから取り外した状態で描かれている。２は下ケースであり、前記上ケース１とほぼ面対照な形状であり、内容物を取り付け後、前記両者をネジ止めあるいは接着などの方法で結合することによって平たいケース全体が構成される。図では相互に取り外してあるが、結合状態のものを説明の都合上、ケースと呼称し、符号を１００とする。ケース１００の上部には後述のスライドカバーを引き出したり、押し込んだりできるスリットが形成されている。
【００１７】
３はスライドカバーである。前記したケース１００内にほぼ全体が収容され、ケース１００の平面方向に沿ってスライドさせて出し入れできるフラットな形状で、引き出しやすいように上端には把持用の突起３ａが左右に突出させて設けてある。スライドカバー３の左右端面には、ケース１００の左右内側面のガイド溝（図示省略）に沿ってスライドするスライド構造が形成されるが詳細説明は省略する。
【００１８】
４は導光板であり、スライドカバー３の正面に取り付けられ、後述の発光部材の光を導きやすい材質の透明な樹脂で形成される板状の部材である。また、導光板４の端部には発光部材のトップ部分を囲むように切り込み部４ａが形成される。導光板４の、スライドカバー３の面に接する面には白色の塗装処理が施され、光の反射効果を得るようにしてある。
【００１９】
５は電池ホルダーである。電池ホルダー５はスライドカバー３の端部に着脱可能に嵌め込むように構成する。従ってスライドカバー３のスライド操作に伴いスライドカバー３とともにケース１００内を移動する。本実施の形態では電池はフラットなボタン型のものを用いるので電池ホルダー５もフラットであり、電池は電池ホルダー５内に収容したまま、ケース１００の端部から引き出して交換等ができるようになっている。
【００２０】
図２において、前記した図１の上ケース１を下ケース２に取り付けた状態の側面断面図が示されている。８は前記した電池であり本実施の形態では２個の電池を重ねて直列使用している。この電池８を収容する電池ホルダー５の両面はプラス電池バネ１０及びマイナス電池バネ１１によって被われ、従って電池ホルダー５に収容される電池８の両極はプラス電池バネ１０及びマイナス電池バネ１１に接する。両電池バネの構造詳細は後述する。
【００２１】
再び図１も併用して説明すると、９は発光部材としてのＬＥＤである。本実施の形態では白色のＬＥＤを使用している。このＬＥＤ９は両端子をプラス電池バネ１０及び後述のスイッチバネ１２にそれぞれ接続されている。
【００２２】
１２はスイッチバネである。燐青銅等の弾性導体で形成され、スライドカバー３に取り付けられて、スライドカバー３のスライド操作によって他部材により押圧されて作動し、スイッチをオン、オフする。詳細は後述する。
【００２３】
７はスイッチ押さえである。詳細は後述するが、樹脂で形成される小部材で、下ケース２とスライドカバー３間に配置され、スライドカバー３のスライド操作によって所定状態に位置を変え、スイッチバネ１２を押圧してスイッチをオン、オフする。詳細は後述する。
【００２４】
図３（Ａ）、（Ｂ）は、本実施の形態の照明付携帯ミラーの背面図及び側面図である。この両図で理解されるように、スライドカバー３をケース１００に収納した状態では、スライドカバー３は突起３ａを突出させるだけで全くケース１００内に格納される構造である。また、電池ホルダー５はケース１００の下端から、電池交換等に備えて引き出しやすいように、把持部５ａを覗かせた状態となるよう、ケース２の下端にカット部２ａを形成してある。
【００２５】
図４（Ａ）、（Ｂ）、（Ｃ）においてスライドカバー３の詳細を図示した。図４（Ａ）は正面図、図４（Ｂ）は図４（Ａ）におけるＡ断面図、図４（Ｃ）は裏面図である。３ａは前記したようにケース１００に対しスライドカバー３を出し入れスライドさせる際に把持するための突起、３ｂは導光板４を取り付ける凹部、３ｃはスライド時ケース１００の内側面に弾性的に接触するアーム、３ｄはアーム３ｃ先端の凸部で、スライド操作時、図示しないケース内側面に設けた凹部と係合してスライド動作の節度を作り出す。３ｅは下端に形成した大きな切り欠き部で、電池ホルダー５をここに嵌め込むようになっている。切り欠き部３ｅの周縁に形成されている凹凸はそのための係合部であるが、公知の構造であるので詳述は省く。なお、３ｐは外周の所定部位に設けた凹部で、プラス電池バネ１０を取り付けるためのものである。
【００２６】
図５はプラス電池バネである。燐青銅等の弾性導体で形成され、平坦な主面には接触舌片１０ａが突出させてあり、組み付け時、電池の電極に接する。１０ｂは主面の一端縁から延設した取り付け部、１０ｔは取り付け部１０ｂ先端の端子で、ここにＬＥＤ９の端子を接続する。１０ｐは他の端縁から延設した係合部である。
【００２７】
図６はマイナス電池バネ１１である。燐青銅等の弾性導体で形成され、１１ｓは平坦な主面で組み付け時電池の電極に接する。１１ｐは主面の一端縁から延設した取り付け部である。１１ｂは主面１１ａの中央に設けた電池取り外し用の丸孔である。
【００２８】
図７は電池ホルダーである。ＡＢＳ樹脂等で形成され、中央に電池を収容する円形の窓を設けた枠状体であって、前記したように一端縁には引き出すため指先を掛けることができるように凹ませた把持部５ａが形成されている。５ｐはマイナス電池バネ１１の取り付け部１１ｐを取り付けるための凹部である。
【００２９】
図８はスイッチバネ１２である。燐青銅等の弾性導体で形成され、スイッチ押え７によって押圧されスイッチ接点として作動する接点部１２ａ、スライドカバー３に取り付けるための孔１２ｂを設けた取り付け部１２ｃからなり、屈曲させて一体に成形されている。１２ｔは取り付け部１２ｃ先端の端子である。
【００３０】
図９はスイッチ押え７である。絶縁体の樹脂で形成され、板状のスライド部７ａと、これの一端が直角に延設された押圧部７ｂとからなり、一体に成形されている。
【００３１】
以上のような要素からなる本実施の形態の照明付携帯ミラーは図１を参照して概略次のように組み立てられる。
【００３２】
上ケース１の表面にミラー６を貼り付ける。
【００３３】
電池ホルダー５の底面に、マイナス電池バネ１１を、マイナス電池バネ１１の取り付け部１１ｐを電池ホルダー５の凹部５ｐに取り付けるようにして組み付ける。固定手段としては公知の溶着などの方法がとられるが詳細は省略する。
【００３４】
スライドカバー３の上面にプラス電池バネ１０を組み付ける。スライドカバー３の凹部３ｐにプラス電池バネ１０の係合部１０ｐがはまり込むようなかたちで組み付ける。固定手段としては公知の溶着などの方法がとられるが詳細は省略する。スライドカバー３にスイッチバネ１２を組み付ける。固定手段としては公知の溶着などの方法がとられるが詳細は省略する。スイッチバネ１２の端子１２ｔと、プラス電池バネ１０の端子１０ｔとにＬＥＤ９の両端子を半田付け等の手段により取り付ける。また、導光板４を凹部３ｂに嵌め込む。
【００３５】
電池ホルダー５をスライドケース３の切り欠き部３ｅに嵌め込み、スライドカバー３を上ケース１に嵌め込む。
【００３６】
スイッチ押さえ７を嵌め込み、下ケース２を被せる。
【００３７】
こうして組み立てた照明付携帯ミラーは、ケース１００の上端左右から突出している突起３ａを把持してスライドカバー３を引き出すことにより、スライドカバー３の移動とともに変位するスイッチ押さえ７がスイッチバネ１２を押圧してマイナス電池バネ１１と接触させるので回路が閉じ電池８から電源がＬＥＤ９に供給されて点灯し、対象物を照明することができる。
【００３８】
（実施の形態６）
ここで、スライドカバー３の移動とともに変位するスイッチ押さえ７がスイッチバネ１２を押圧する動作を説明する。
【００３９】
図１０はこの動作を説明する斜視図である。図１でも理解されるように、スイッチ押さえ７はそのスライド部７ａをスライドカバー３の面を摺動するとともにスライドカバー３の端面に形成されている段差部ａ点と、電池ホルダー５の端部ｂ点との間で動作を規制され、かつ、図１０に示したような、下ケース２の内面に設けた凹部２ｈ内に嵌まり込んでいるので、この凹部２ｈの長手方向の両端部内面、Ａ面とＢ面とによっても動作を規制されている。
【００４０】
１　　スライドカバー３が押し込まれた状態（導光板４の収納状態）時、スイッチ押さえ７はスライドカバー３のａ点に接する位置で、下ケース２の凹部２ｈのＡ面に近い位置に存在する。
２　　スライドカバー３を引き出すとスイッチ押さえ７はＡ面に近い位置に固定されたまま、スライドカバー３のみがせり出してくる。
３　　スイッチ押さえ７にスイッチバネ１２のテンション印加されてくると、スイッチ押さえ７はスライドカバー３に沿って移動する。
４　　スイッチ押さえ７が下ケース２の凹部２ｈのＢ面に接するまでスライドカバー３に沿って移動する。
５　　スイッチ押さえ７が下ケース２の凹部２ｈのＢ面に接するとスイッチ押さえ７は固定され、さらにスライドカバー３を引き出すとスイッチバネ１２を押し込みながらスライドカバー３が移動し、スイッチが完全に接合する位置（スライドカバー３の抜け止め、図示せず、に当たるまで）（電池ホルダー５との接合点ｂ点まで）スライドカバー３が移動する。ＬＥＤ９が点灯する。
６　　スライドカバー３の引き抜け止めは別途、下ケース２とスライドカバー３との間に形成されている。
７　　スライドカバー３を押し込む場合は、スイッチ押さえ７はスイッチバネ１２の押圧により下ケース２の凹部２ｈのＢ面よりＡ面方向にスライドする。
８　　スイッチ押さえ７がＡ面に当たると、スイッチバネ１２の押圧に関係なくスライドカバー３は押し込まれ、スイッチ押さえ７はスライドカバー３のａ方向に移動する。ＬＥＤ９が消灯する。
【００４１】
このように、スイッチ押さえ７を介してスイッチを作動させることによってスライド寸法を大きくすることができる。
【００４２】
なお、以上の説明による電池バネは、ミラー面をプラスとしているが、プラスマイナスを逆にしても支障はない。
【００４３】
また、本実施の形態ではミラー６はケース１００の正面に取り付けるとともに導光板４をスライドカバー３に取り付け、ケース１００からスライド動作で引き出すようにしたが、ケースの正面に観音開き型の扉を設け、これを開くと一方の扉の裏面が鏡面であり、他方の扉の裏面が発光する導光板面であるようにして、開くとともに電源が供給され点灯し対象を照明するようにしてもよい。さらに、鏡面と導光板面とが形成された面をもつ板状の部材のコーナー付近一点を軸支するケースを、板状の部材両面から挟むように設け、ケースを回動させることで板状の部材が露出し、同時に電源が入って照明するようにすることもできる。
【００４４】
【発明の効果】
以上のように本発明の請求項１によれば、小型の携帯ミラーに、このミラー面に映し出す観察対象を照明する手段を備えるようにしたので、暗い場所でも鏡面に観察対象を映し出すことができるという有利な効果が得られる。
【００４５】
また、請求項２によれば、請求項１において、照明手段は、発光部を備えるスライド部材に配置されて携帯ミラーのケースに収容され、必要時前記スライド部材をスライド操作することにより発光部を露出させ、不要時スライド操作により前記発光部を格納するようにしたので、照明不要時はコンパクトな携帯ミラーとすることができ、しかも発光面の大きい照明手段とすることができるという有利な効果が得られる。
【００４６】
また、請求項３によれば、請求項１において、照明手段は、発光部を備えるスライド部材に配置されて携帯ミラーのケースに収容され、必要時前記スライド部材をスライド操作することにより発光部を露出及び点灯させ、不要時スライド操作により前記発光部を格納及び消灯するようにしたので、電源の切り忘れがなく、不慮の電池消耗を防ぐことができる有利な効果が得られる。
【００４７】
また、請求項４によれば、請求項１から３までにおいて、照明手段はＬＥＤを発光部に用いたので、これにより、消費電力が少なく、しかも明るい照明手段とする有利な効果が得られる。
【００４８】
また、請求項５によれば、請求項１から４までにおいて、照明手段は電池により電源を供給され、前記電池はケースに対しスライドして出し入れできるひきだし型の電池ホルダーに保持され、前記電池ホルダーの電池を載置する底板は保持する電池の一方の電極に接する接点板で構成したので、これにより、電極接点板をスイッチの一部として利用することができるので、スイッチ構造を簡単なものとすることができる有利な効果がある。
【００４９】
また、請求項６によれば、請求項３から５までにおいて、照明手段を点灯、消灯するスイッチは、スライド操作によるスライド部材の移動によってその可動接点片が押圧されて点灯し、スライド部材の前記とは逆方向の移動による押圧解除によって消灯するものであって、前記スライド部材の一定量を超える変位に伴い移動する構造の中間部材を設け、この部材を介して前記スイッチの可動接点片を押圧及び押圧解除する構造としたので、スライド操作範囲及び発光部材の発光面積を大きなものする有利な効果が得られる。
【図面の簡単な説明】
【図１】本発明の照明付携帯ミラーの一部を分解した正面図である。
【図２】本発明の照明付携帯ミラーの側面断面図である。
【図３】（Ａ）、（Ｂ）はそれぞれ本発明の照明付携帯ミラーの裏面図及び側面図である。
【図４】（Ａ）、（Ｂ）、（Ｃ）はそれぞれ本発明の照明付携帯ミラーのスライドカバーの正面図、図４（Ａ）におけるＡ−断面図、裏面図である。
【図５】（Ａ）、（Ｂ）、（Ｃ）はそれぞれ本発明の照明付携帯ミラーのプラス電池バネの正面図、上面図、側面図である
【図６】（Ａ）、（Ｂ）、（Ｃ）はそれぞれ本発明の照明付携帯ミラーのマイナス電池バネの正面図、上面図、側面図である
【図７】（Ａ）、（Ｂ）、（Ｃ）はそれぞれ本発明の照明付携帯ミラーの電池ホルダーの正面図、正面図のＡ−断面図、裏面図である。
【図８】（Ａ）、（Ｂ）、（Ｃ）はそれぞれ本発明の照明付携帯ミラーのスイッチバネの正面図、側面図、下面図である。
【図９】（Ａ）、（Ｂ）はそれぞれ本発明の照明付携帯ミラーのスイッチ押えの正面図、側面図である。
【図１０】本発明の照明付携帯ミラーの動作を説明する分解斜視図である。
【符号の説明】
１　　上ケース
２　　下ケース
１００　　ケース
３　　スライドカバー
４　　導光板
５　　電池ホルダー
６　　ミラー
７　　スイッチ押え
８　　電池
９　　ＬＥＤ
１０　　プラス電池バネ
１１　　マイナス電池バネ
１２　　スイッチバネ
【図１】
2004039608.tif 000003
【図２】
2004039608.tif 000004
【図３】
2004039608.tif 000005
【図４】
2004039608.tif 000006
【図５】
2004039608.tif 000007
【図６】
2004039608.tif 000008
【図７】
2004039608.tif 000009
【図８】
2004039608.tif 000010
【図９】
2004039608.tif 000011
【図１０】
2004039608.tif 000012